(57)【要約】【課題】  排泄物を包み込んだ状態を確実に維持することができる、衛生的かつ使用方法が簡単なペット用トイレシートを提供する。【解決手段】  不水透性シート５と、吸収部４と、表面シート７が積層状に形成されてなる吸水シートの４辺の外周部に粘着層３を設け、前記粘着層３上に剥離用つまみ突起２ａを備えた剥離紙２を設けてペット用トイレシートを構成する。【選択図】  図１
2007282605.tif 000002
【特許請求の範囲】
【請求項１】
不水透性シートと、吸水材と、表面シートが積層状に形成されてなる吸水シートの４辺の外周部に粘着層が設けられ、前記粘着層上に剥離用つまみ突起を備えた剥離紙が設けられてなるペット用トイレシート。
【請求項２】
剥離紙を備えた粘着層が前記４辺の外周部と同じ形状に一続きに形成され、一続きとなった剥離紙がループ形状の剥離用つまみ突起を少なくとも１つ有する請求項１に記載のペット用トイレシート。
【請求項３】
剥離紙を備えた粘着層が前記外周部の各辺にそれぞれ独立して設けられ、各辺の粘着層に備えられた剥離紙がループ形状の剥離用つまみ突起をそれぞれ有する請求項１に記載のペット用トイレシート。
【発明の詳細な説明】
【技術分野】
【０００１】
本発明は、ペットの排泄物の処理に用いるペット用トイレシートに関し、特にシート自体によって排泄物を包み込むことのできる、簡便かつ衛生的なペット用トイレシートに関する。
【背景技術】
【０００２】
屋内において犬、猫などのペットを飼育する場合、避けて通れない課題として、ペットの排泄物の処理が挙げられる。そこで吸水力の高い素材を内部に備えたペット用のトイレシートを床やトレー上に載置し、トイレシート上にて排泄を行わせ、排泄後にシートで排泄物を包み込んで廃棄する方法が一般的である。
【０００３】
ところが、ペット用トイレシートそのものには排泄物を包み込んだ際の形状を維持するための手段が設けられていないことから、ごみ箱等の中で丸められた状態が緩み、内部の排泄物が露出して悪臭を放つといった衛生上の問題が生じる。
【０００４】
そこで、シート裏面の４隅に粘着層を備え、排泄物を包み込む際にこれら粘着層にてシート裏面同士を貼り付けることで排泄物を包み込んだ状態を維持するペット用トイレシート（特許文献１、及び特許文献２参照）や、裏面の一部に粘着テープを備え、排泄物を包み込んだ後にこの粘着テープを利用して包み込んだ状態を保持するペット用トイレシート（特許文献３参照）が提案されている。
【特許文献１】登録実用新案公報第３０５４８８４号
【特許文献２】登録実用新案公報第３０５６９６１号
【特許文献３】登録実用新案公報第３０５０５１５号
【発明の開示】
【発明が解決しようとする課題】
【０００５】
しかしながら、特許文献１及び特許文献２に開示される構成では、シート裏面に備えた粘着層を、まず床やトレーに固定するための手段として用い、その後、排泄物を包み込んだ状態を維持するために用いていることから、これら粘着層が床やトレー上の埃などを吸着し、排泄物を包み込む際には粘着力が低下しており、結果として排泄物を確実に包み込むことができなくなるといった問題がある。また、特許文献３に開示される構成では、シート裏面の一部分にのみしか粘着テープを備えていないことから、排泄物を包み込んだ際の形状によっては十分にその状態を維持することができず、結果として確実に排泄物を包み込むことができないといった問題がある。
【０００６】
そこで本発明は、上記従来技術の課題に鑑み、シート自体によって排泄物を包み込み、包み込んだ状態を確実に維持することができる、使用方法が簡便であり、かつ衛生的なペット用トイレシートを提供することを目的とする。
【課題を解決するための手段】
【０００７】
上記目的を達成するための本発明のペット用トイレシートは、不水透性シートと、吸水材と、表面シートが積層状に形成されてなる吸水シートの４辺の外周部に粘着層が設けられ、前記粘着層上に剥離用つまみ突起を備えた剥離紙が設けられてなるものである。
【０００８】
このような構成のペット用トイレシートを用いれば、ペットの排泄物を包み込んで処理する際に、吸水シートの４辺の外周部に設けられた粘着層から剥離紙をはがして吸水シートを２つに折り畳むと、折り畳み中心線を介して対向する粘着層同士を接合させることができることから、折り畳んだ状態を確実に維持させることができる。また、粘着層は、４辺の外周部の全周に渡り線状に設けられていることから、折り畳んだ際に粘着層間に隙間が生じず、悪臭や内容物が外部に漏れ出すといったことがない。
【０００９】
また、上記構成において剥離紙を備えた粘着層が前記４辺の外周部と同じ形状に一続きに形成され、一続きとなった剥離紙がループ形状の剥離用つまみ突起を少なくとも１つ有する構成とすると、この剥離用つまみ突起を上方に引き上げるだけで外周部上の粘着層から剥離紙を一度にまとめてはがすことができることから、使い勝手がよい。
【００１０】
また、剥離紙を備えた粘着層が前記外周部の各辺にそれぞれ独立して設けられ、各辺の粘着層に備えられた剥離紙がループ形状の剥離用つまみ突起をそれぞれ有する構成とすると、テープ状の粘着層を必要な長さにカットして所定箇所に設けるだけで本発明のペット用トイレシートを構成することができることから、シートの外周部に対応した形状の粘着層を形成することに比して製造コストが安くなるといった効果を奏する。
【発明の効果】
【００１１】
本発明によれば、剥離紙をはがしてシートを折り畳むだけで、線状の粘着層同士が接合して折り畳んだ状態が維持されることから、簡便な使用方法により排泄物を包み込んだ形状を確実に保持することができ、また、接合の密閉性が高いことから悪臭や内容物が漏れることがないので衛生面においても優れた効果を奏する。
【発明を実施するための最良の形態】
【００１２】
以下、本発明のペット用トイレシートについて、図面を参照して詳細に説明する。なお、以下に説明する実施形態は本発明を具現化した一例であり、本発明の技術的範囲を限定するものではない。
【００１３】
本発明のペット用トイレシート１は、図１に示すように、縦６０ｃｍ、横４５ｃｍの外形寸法を有し、不水透性シート５と、ペットの排泄物の水分を吸収するための吸水材と、表面シート７が積層状に形成されてなる吸水シートの４辺の外周部に、粘着層（粘着材または両面テープ）３が設けられた構成となっている。なお、図２（ａ）に示すように、粘着層３には剥離紙２が設けられていることから、複数のシート１を重ね合わせた状態で収納してもシート１同士が引っ付いてしまうといったことがない。また、剥離紙２には、ループ形状の剥離用つまみ突起２ａが備えられていることから、このループ状つまみ突起２ａを上方に引き上げるだけで、外周部の全辺における剥離紙２を一度にはがすことができる。
【００１４】
本発明のペット用トイレシート１の中央部（吸水部）４の構成は、図２（ｂ）に示すように、ポリエチレンフィルムなどからなる不水透性シート５の上面に一般に市販されているペットシート等に用いられるものと同様の吸水材（ポリアクリル酸塩などからなる高分子吸水材）６が敷き詰められ、その上面が透水性の表面シート（ポリプロピレンの短繊維で形成された不織布など）７により覆われた構成となっている。ペットが本発明のペット用トイレシート１上に排泄した場合、液体の排泄物８は表面シート７を通って内部の吸水材６により吸収され、固体の排泄物８は表面シート７上に載ってその水分だけが表面シート７を通って内部の吸水材６により吸収される。したがって、シート１を折り畳んで廃棄する際に水分がこぼれてしまうことがない。
【００１５】
次に、本発明のペット用トイレシート１の使用手順について説明する。まず、図１に示す状態のように、トイレシート１を、吸水部４が上方を向くように床やペット用のトイレトレー等の上に置く。そして、ペットがシート１の吸水部４上に排泄した後に、ループ状つまみ突起２ａを上方に引き上げて粘着層３から剥離紙２をはがす（図３参照）。最後に、排泄物８を内方に包み込むようにトイレシート１を２つ折りにし、折り畳み中心線を介して対称となる粘着層３同士を互いに接合させる（図４参照）。
【００１６】
この時、長辺の中央部を折り畳み中心とし、折り畳み中心部近傍から順次、長辺の粘着層３同士を接合させていき、最後に短辺の粘着層３同士を接合させるように折り畳むと、途中で内容物がこぼれ出たりすることがなく、確実に排泄物８を包み込むことができる。
【００１７】
このように、本発明によれば粘着層３が線接触にて互いに隙間なく接合し合うことから、折り重ねたシートを部分的に粘着材により接合する従来例のものと比較し、包み込んだ排泄部８が外部に漏れることを防げることはもちろん、排泄物８の発する悪臭をも漏れさせることがない。更には、排泄物８を包み込んだ状態（図４の状態）においては、人の手などに触れる面が全て不水透性シート５であることから、素手で触っても衛生上の問題が生じないことに加えて、レジ袋等で再度包み込む必要がないことからゴミの削減にも効果を奏する。
【００１８】
なお、上記の構成における粘着層３としては、不水透性シート５と略同じ大きさの粘着シートの中央部を所定の大きさに応じて形抜きしたものを用いることが可能であるが、この方法に限らず、不水透性シート５の外周部における２辺の短辺および２辺の長辺に応じた長さの４本の粘着テープを用いても良い。このような粘着テープを用いて４辺の粘着層３を独立して構成する場合、粘着シートを形抜きする方法に比して格段に製造コストを削減することができ、また、製造工程の簡素化も図れる。
【００１９】
また、図示した例では外周部の２辺の長辺にあたる粘着層３の中央部にそれぞれ剥離用つまみ突起２ａを設けた構成としているが、４辺の粘着層３を互いに独立した構成とする場合には、それぞれの粘着層３の剥離紙２に剥離用つまみ突起２ａを個別に設けた構成とすることができる。
【産業上の利用可能性】
【００２０】
本発明によれば、剥離紙をはがしてシートを折り畳むだけで線状の粘着層同士が接合して折り畳んだ状態が維持されることから、簡便な使用方法により排泄物を包み込んだ形状を確実に保持することができる。また、線状の粘着層を使用していることにより接合の密閉性が高いことから内容物や悪臭が漏れることがないので衛生面においても優れた効果を奏する。
【図面の簡単な説明】
【００２１】
【図１】本発明におけるペット用トイレシートの全体構成を示す斜視図
【図２】（ａ）は図１のＡ−Ａ線矢視拡大断面図、（ｂ）は図１のＢ−Ｂ線矢視拡大断面図
【図３】同ペット用トイレシートの使用例を示す平面図
【図４】同ペット用トイレシートの廃棄時の形状を示す斜視図
【符号の説明】
【００２２】
１    ペット用トイレシート
２    剥離紙
２ａ        つまみ突起
３    粘着層（粘着材）
４    吸水部
５    不水透性シート
６    吸水材
７    表面シート
８    排泄物
【図１】
2007282605.tif 000003
【図２】
2007282605.tif 000004
【図３】
2007282605.tif 000005
【図４】
2007282605.tif 000006